(57)【要約】【課題】  差し込み方向を判別することができる鍵材の把持部及び鍵材を提供すること。【解決手段】  鍵材１は、鍵本体２と、鍵本体２に取付けられ、差し込まれる際に手で把持される把持部３とを備えている。把持部３の表用チップ６には、その外面６ｄを把持する親指の当接面の形状に合わせた表側凹部８が形成されている。また、把持部３の裏用チップ７には、その外面７ｃを把持する人差し指の当接面に合わせた裏側凹部１８が形成されている。【選択図】      図１
2005139725.tif 000002
【特許請求の範囲】
【請求項１】
鍵穴に挿入されることにより解錠又は施錠を行う鍵本体に取付けられ、前記鍵本体の挿入時に手で把持される鍵材の把持部において、
前記把持部の一方の把持面に、その把持面を把持する親指又は人差し指の方向に合わせた凹部が設けられていることを特徴とする鍵材の把持部。
【請求項２】
鍵穴に挿入されることにより解錠又は施錠を行う鍵本体に取付けられ、前記鍵本体の挿入時に手で把持される鍵材の把持部において、
前記把持部の一方の把持面に、親指の位置を特定する第１の凹部が設けられ、
前記把持部の他方の把持面に、人差し指の位置を特定する第２の凹部が設けられるとともに、
前記第１の凹部及び前記第２の凹部の長手方向は、互いに略直交していることを特徴とする鍵材の把持部。
【請求項３】
請求項１又は２に記載の把持部が取付けられる鍵材。
【発明の詳細な説明】
【技術分野】
【０００１】
本発明は、鍵材の把持部及び鍵材に関する。
【背景技術】
【０００２】
錠を解錠又は施錠するための鍵材は、一般的に、鍵穴に差し込まれる差込部と、差込部に連続して形成される把持部とを備えている。通常、この鍵材は、鍵穴に差し込む方向が予め決められている。鍵材の差込部は、溝及び切り欠き等が形成され、左右非対称に形成されていることが多い。一方、鍵材の把持部は、板状に形成され、その表面及び裏面には異なる刻印が形成されていることが多いが、その他はほぼ同じ形状に形成されている（例えば、特許文献１参照）。
【特許文献１】特開平５−２７２２６３号公報
【発明の開示】
【発明が解決しようとする課題】
【０００３】
ところが、上記した鍵材では、錠穴に差し込む際に鍵材の表裏を判別しにくい。例えば、鍵材の表裏を確認しないで鍵穴に差込んだ場合には、鍵穴に差込不能であることがある。このような場合、鍵材を持ち替えて、鍵穴に差込部を再度差込み直す。このため、解錠又は施錠の際に手間がかかることがあり、特に複数の錠を解錠又は施錠しなければならない場合や、充分に明るくない場所で解錠又は施錠を行う場合等には不便である。鍵材を使って錠の解錠又は施錠を行うことは比較的頻繁に行われることであるため、鍵材は、表裏をすぐに判別できるものが望まれる。
【０００４】
また、本発明の目的は、差し込み方向を判別することができる鍵材の把持部及び鍵材を提供することにある。
【課題を解決するための手段】
【０００５】
上記問題点を解決するために、請求項１に記載の発明は、鍵穴に挿入されることにより解錠又は施錠を行う鍵本体に取付けられ、前記鍵本体の挿入時に手で把持される鍵材の把持部において、前記把持部の一方の把持面に、その把持面を把持する親指又は人差し指の方向に合わせた凹部が設けられていることを要旨とする。
【０００６】
請求項２に記載の発明は、鍵穴に挿入されることにより解錠又は施錠を行う鍵本体に取付けられ、前記鍵本体の挿入時に手で把持される鍵材の把持部において、前記把持部の一方の把持面に、親指の位置を特定する第１の凹部が設けられ、前記把持部の他方の把持面に、人差し指の位置を特定する第２の凹部が設けられるとともに、前記第１の凹部及び前記第２の凹部の長手方向は、互いに略直交していることを要旨とする。
【０００７】
請求項３に記載の発明は、請求項１又は２に記載の把持部が取付けられる鍵材において、ことを要旨とする。
（作用）
請求項１の発明によれば、把持部の一方の把持面には、親指又は人差し指の方向に合わせた凹部が形成されているので、その把持面に当接する親指又は人差し指の方向を特定することができる。従って、鍵材の表裏を間違えて持ち替えるようなことがなく便利である。
【０００８】
請求項２の発明によれば、把持部の一方の把持面には、親指の位置を特定する第１の凹
部が設けられ、他方の把持部には人差し指の位置を特定する第２の凹部が設けられている。そして、第１の凹部及び第２の凹部の長手方向は、略直交している。つまり、把持部を把持する際は、通常、親指と人差し指を略直交するように交差させて把持するので、前記第１の凹部及び第２の凹部は、この親指の方向と人差し指の方向を特定することができる。このため、鍵材の表裏を間違えて持ち替えるようなことがなく便利である。
【０００９】
請求項３の発明によれば、鍵材において、請求項１又は２に記載の作用効果を得ることができる。
【発明の効果】
【００１０】
本発明によれば、差し込み方向を判別することができる鍵材の把持部及び鍵材を提供することができる。
【発明を実施するための最良の形態】
【００１１】
以下、本発明を具体化した一実施形態を図１〜図５に従って説明する。図１は鍵材１を示し、（ａ）は平面図、（ｂ）は側面図、（ｃ）は背面図である。図２は、鍵材１に備えられる鍵本体２の平面図である。
【００１２】
図１に示すように、鍵材１は、金属からなる鍵本体２と、鍵本体２に取着される把持部３とを備えている。この鍵本体２は、鍵穴に差しこまれる差込部４を備えており、この差込部４には溝及び切り欠き等が形成されている。さらに、図２に示すように、鍵本体２は、差込部４の一端に連続して形成された板状の取着部５を備えている。取着部５は、差込部４の反対側に向かうにつれて拡がるような略台形状に形成されている。また、取着部５の裏面５ｃには図１（ｃ）に示すように識別番号Ｋが刻印されている。そして、この刻印以外は、取着部５の表面５ｂ及び裏面５ｃは同じ形状に形成されている。
【００１３】
尚、本実施形態では、鍵本体２は、解錠の際は表面５ｂが鍵穴に対して右側を向いた状態で差し込まれて反時計回りに１８０度回転し、施錠の際は表面５ｂが鍵穴に対して左側を向いた状態で差しこまれて時計回りに１８０度回転するものとして説明する。
【００１４】
また、図２に示すように、取着部５において、端部５ａの両隅には、切欠部５ｄ，５ｅが形成されている。さらに、取着部５の中央部よりもやや端部５ａ側には、略半楕円状の差込孔５ｆが貫通形成されている。この差込孔５ｆは、キーホルダ等を鍵本体２に取付けるための孔である。この差込孔５ｆの両脇には、貫通孔としての円形孔５ｇ，５ｈが貫通形成されている。また、取着部５の円形孔５ｇ，５ｈよりも差込部４側には、貫通孔としての略長方形状の四角孔５ｉが貫通形成されている。
【００１５】
次に、把持部３について説明する。図３は把持部３を構成する、第１のチップとしての表用チップ６を示し、（ａ）は平面図、（ｂ）は断面図、（ｃ）は背面図である。図４は、把持部３を構成する、第２のチップとしての裏用チップ７を示し、（ａ）は平面図、（ｂ）は断面図、（ｃ）は背面図である。この把持部３は、図１に示すように、樹脂からなる板状の表用チップ６及び裏用チップ７により構成され、図１（ｂ）に示すように、表用チップ６が鍵本体２の取着部５の表面５ｂ側に、裏用チップ７が前記取着部５の裏面５ｃ側になるように鍵本体２に対して固定される。
【００１６】
図３（ａ）に示すように、表用チップ６は、その外形が略台形状になるように形成され、端部６ａ側に向かうにつれて拡がっている。そして、表用チップ６は、把持面としての外面６ｄを表側とし、端部６ａ側が、鍵本体２の端部５ａ側に、他方の端部６ｂ側が差込部４側になるように鍵本体２に取着される。この表用チップ６には、端部６ａ側で開口した略半楕円状の切り欠き６ｃが形成されている。この切り欠き６ｃは、表用チップ６が鍵
本体２に取着された際に鍵本体２の差込孔５ｆの形状に沿うようになっている。
【００１７】
また、表用チップ６の外面６ｄには、第１の凹部としての表側凹部８が鍵材１の長手方向に沿って形成されている。この表側凹部８は、図３（ｂ）に示すように、傾斜面８ａと平面８ｂとから構成され、平面８ｂは周囲よりも高さが低くなっている。また、図３（ａ）に示すように、表側凹部８の平面８ｂは略台形状に形成され、傾斜面８ａは平面８ｂの３辺を取り囲むように設けられている。つまり、この表側凹部８は、鍵材１を鍵穴に差し込む際の、表用チップ６に当接する親指の方向に合わせて形成されている。また、表側凹部８は、表用チップ６に当接する親指の腹の形状及び大きさに合わせて形成されている。詳述すると、解錠又は施錠のために把持部３を把持する際には、親指と人差し指とを略直交するように交差させて、親指の腹と人差し指の側面とで把持部３を挟んで支持するのが通常である（図５参照）。このとき、親指の腹が、表用チップ６の外面６ｄに当接し、人差し指の側面が裏用チップ７の外面７ｃに当接する。従って、表用チップ６に表側凹部８を設けることにより、把持部３を把持した際に親指の腹が表側凹部８に沿って密着し、ぴったりと合うような感触を使用者に与える。
【００１８】
また、図３（ｃ）に示すように、表用チップ６の内面６ｅであって、その端部６ａには、両隅に略四角柱状の突部９，１０が形成されている。また、内面６ｅには、前記切り欠き６ｃを挟むように、第１の係合部としての２つの第１の嵌合部１１，１２が突出形成されている。この第１の嵌合部１１，１２は、略円筒状に形成されており、２箇所において切り欠かれている。また、第１の嵌合部１１，１２は、図３（ｂ）に示すように、その外周面の略中央に、環状の係止突部１３，１４がそれぞれ設けられている。これにより、第１の嵌合部１１，１２は、その外周の中央付近で部分的に膨らんだような形状をなしている。さらに、内面６ｅの端部６ｂ側には、第１の係合部としての第２の嵌合部１５が形成されている。この第２の嵌合部１５は、図３（ｃ）に示すように四隅が切り欠かれた略四角筒状に形成されている。そして、図３（ｂ）に示すように、第２の嵌合部１５の外周には、第１の嵌合部１１，１２と同じように環状の係止突部１６が形成されている。
【００１９】
また、表用チップ６の内面６ｅにおいて、端部６ｂ側には差し込み部としての脱着用凹部１７が形成されている。この脱着用凹部１７は、端部６ｂ側において開口しており、図５に示すように表用チップ６が鍵本体２に取着された際に、表用チップ６と鍵本体２との間に、端部６ｂ側で開口した隙間が設けられるようになっている。
【００２０】
一方、図４（ａ）に示すように、裏用チップ７は、表用チップ６と同様に略台形状に形成され、端部７ａに向かうにつれて拡がっている。この裏用チップ７は、把持面としての外面７ｃを表側にし、その端部７ａを鍵本体２の端部５ａ側にして鍵本体２に対して取着される。また、裏用チップ７には、表用チップ６と同じように、略半楕円状の切り欠き７ｂが形成されている。さらに、裏用チップ７の外面７ｃには、第２の凹部としての裏側凹部１８が形成されている。この裏側凹部１８は、その長手方向が表用チップ６に形成された表側凹部８の長手方向と略直交する方向になるように形成されている。また、裏側凹部１８は、裏用チップ７に当接する人差し指の方向に合わせて形成されているとともに、人差し指の側面の形状及び大きさに合わせて形成されている。具体的には、図４（ａ）に示すように、裏側凹部１８は、外面７ｃの一側部７ｄから他側部７ｅに向かって外面７ｃを横切るように帯状に形成されている。また、裏側凹部１８は、図４（ｂ）に示すように、円滑な曲面からなる凹みとなっている。その結果、把持部３を把持した際に、人差し指の側面が裏側凹部１８に沿って密着し、ぴったりと合うような感触を使用者に与える。
【００２１】
また、図４（ｃ）に示すように、裏用チップ７の内面７ｆの端部７ａには、その両隅に突部１９，２０が形成されている。この突部１９，２０は、略四角柱状に形成され、表用チップ６と裏用チップ７とが重ね合わされた際に表用チップ６の突部９，１０と係合する
。また、内面７ｆには、前記切り欠き７ｂを挟むように、第２の係合部としての第１の被嵌合部２１，２２が２つ形成されている。この第１の被嵌合部２１，２２は、略円筒状に形成され、表用チップ６と裏用チップ７とが重ね合わされた際に表用チップ６の第１の嵌合部１１，１２を嵌合可能な位置に設けられている。また、第１の被嵌合部２１，２２の内周面の略中央には、図４（ｂ）に示すように円環状に係止溝２３，２４が形成されている。この係止溝２３，２４は、第１の被嵌合部２１，２２に第１の嵌合部１１，１２が嵌合された際に、その係止突部１３，１４を係合可能に設けられている。尚、係止突部１３，１４の外径と、係止溝２３，２４の内径とはほぼ同じに形成されている。
【００２２】
このため、第１の被嵌合部２１，２２に第１の嵌合部１１，１２を押し込んで嵌合すると、係止突部１３，１４と係止溝２３，２４とが係合状態となる。従って、表用チップ６及び裏用チップ７を互いに離すような力を加えても、係止突部１３，１４は係止溝２３，２４に係止されるため外れにくい。
【００２３】
また、裏用チップ７の内面７ｆの端部７ｇ側には、第２の係合部としての、略四角筒状の第２の被嵌合部２５が形成されている。さらに、第２の被嵌合部２５の内周面には、図４（ｂ）に示すように環状に係止溝２６が形成されており、第２の嵌合部１５の係止突部１６と係合可能となっている。
【００２４】
裏用チップ７の第１の被嵌合部２１，２２と、第２の被嵌合部２５との間であって、裏側凹部１８内には略長方形状の窓部２７が貫通形成されている。この窓部２７は、その長手方向が裏側凹部１８の長手方向と平行になるように形成されている。そして、窓部２７は、鍵本体２に取着された際に、その取着部５の裏面５ｃに刻印された識別番号Ｋを表示できるようになっている。
【００２５】
これらの表用チップ６及び裏用チップ７は、特殊な工具・装置を用いなくても、手で取付けることができる。表用チップ６及び裏用チップ７を鍵本体２に取着する際には、例えば、鍵本体２の取着部５の裏面５ｃに裏用チップ７の内面７ｆを対向させるとともに、取着部５に形成された円形孔５ｇ，５ｈ及び四角孔５ｉに、裏用チップ７の第１の被嵌合部２１，２２及び第２の被嵌合部２５をそれぞれ差し込む。
【００２６】
そして、取着部５に裏用チップ７が重なった状態で、前記第１の被嵌合部２１，２２及び第２の被嵌合部２５に表用チップ６の第１の嵌合部１１，１２及び第２の嵌合部１５をそれぞれ差しこむ。そして、表用チップ６及び裏用チップ７を把持して鍵本体２側に押圧する。これにより、各係止突部１３，１４，１６及び各係止溝２３，２４，２６がそれぞれ係合状態となり、表用チップ６及び裏用チップ７は互いに強固に固定される。このとき、図１（ａ）、（ｂ）に示すように、表用チップ６の突部９，１０と、裏用チップ７の突部１９，２０とは、鍵本体２の切欠部５ｄ，５ｅに係合するとともに互いに押し付けられている。そして、図１に示すように、表用チップ６及び裏用チップ７は取着部５を被覆した状態となり、差込部４が把持部３の端部６ｂ，７ｇから突出した状態となる。また、裏用チップ７の窓部２７からは、取着部５の裏面５ｃに刻印された識別番号Ｋが表示される。
【００２７】
また、表用チップ６及び裏用チップ７を鍵本体２から取り外す際は、表用チップ６に形成された脱着用凹部１７により鍵本体２との間に設けられた隙間（図５参照）にドライバ等を差込み、その脱着用凹部１７の側面を支点として表用チップ６を鍵本体２から剥がすように外す。これにより、前記係止突部１３，１４，１６と係止溝２３，２４，２６との係合が解かれた非係合状態となり、表用チップ６及び裏用チップ７を鍵本体２から外すことができるようになる。
【００２８】
次に、この鍵材１を使用して、錠を解錠又は施錠する場合の作用について図５に従って説明する。尚、図５は、鍵材１を差し込む際の手を上方からみた図である。まず、鍵材１を鍵穴に差し込む前に、把持部３の触感によって鍵材１の表裏、すなわち把持する向きを判別する。つまり、表用チップ６の外面６ｄ及び裏用チップ７の外面７ｃを指で触って、その触感により親指の腹に密着する面又は人差し指の側面に密着する面（表又は裏）を判別する。そして、親指に密着する方の面、つまり表用チップ６の外面６ｄを親指の腹で、人差し指に密着する方の面、つまり裏用チップ７の外面７ｃを人差し指の側面で把持する。このとき、例えば、表用チップ６を人差し指で、裏用チップ７を親指で把持すると、表側凹部８及び裏側凹部１８の各長手方向と、人差し指及び親指の各長手方向が異なることで、把持したときに違和感を感じる。従って、間違った面を把持した場合には、触感により明確に把持方向が間違っていることがわかる。
【００２９】
そして、解錠の際には、図５に示すように、表用チップ６の外面６ｄを鍵穴に対して右側に向けた状態で図５中左方向に向かって鍵穴に差し込む。施錠の際には、表用チップ６の外面６ｄを左側に向けた状態で鍵穴に差し込む。このとき、解錠・施錠のいずれの場合にも、表側凹部８及び裏側凹部１８によって親指の位置及び人差し指の位置が特定されるので、親指と当接する面（外面６ｄ）を人差し指で把持する等の持ち間違いがない。
【００３０】
上記実施形態によれば、以下のような効果を得ることができる。
（１）上記実施形態では、鍵本体２の表面５ｂに取着される表用チップ６に、表側凹部８を形成した。そして、表側凹部８の長手方向を、表用チップ６の外面６ｄに当接する親指の方向に合わせた。また、表側凹部８を略台形状に形成した。また、鍵本体２の裏面５ｃに取着される裏用チップ７に、裏側凹部１８を形成した。そして、裏側凹部１８の長手方向を、裏用チップ７の外面７ｃに当接する人差し指の方向に合わせ、帯状であって円滑な曲面になるように形成した。
【００３１】
このため、使用者は、表側凹部８及び裏側凹部１８をそれぞれ親指の腹及び人差し指の側面で触った際に、ぴったりと合うような感触を覚える。従って、鍵材１を把持し易く、しかも、解錠又は施錠の前に、触感により、鍵材１を把持する親指の位置と人差し指の位置とを特定することができる。このため、鍵材１の表裏を間違えて、改めて鍵材１を逆にして持ち替えることがなく便利である。また、把持部３に表側凹部８及び裏側凹部１８を両方形成し、その長手方向が略直交するようにしたので、触感により確実に親指の位置及び人差し指の位置を特定できる。
【００３２】
（２）上記実施形態では、把持部３は、表用チップ６及び裏用チップ７とから構成される。また、表用チップ６に、第１の嵌合部１１，１２及び第２の嵌合部１５を形成し、裏用チップ７に形成された第１の被嵌合部２１，２２及び第２の被嵌合部２５にそれぞれ嵌合可能となるようにした。そして、第１の嵌合部１１，１２及び第２の嵌合部１５に係止突部１３，１４，１６を形成し、第１の被嵌合部２１，２２及び第２の被嵌合部２５の係止溝２３，２４，２６に係止されるようにして、表用チップ６が裏用チップ７に比較的強固に固定されるようにした。このため、表用チップ６及び裏用チップ７が鍵本体２から外れにくい。また、特殊な工具・装置を用いたり、店舗に依頼したりすることなく、使用者が把持部３を自ら鍵本体２に取着することができる。
【００３３】
（３）上記実施形態では、表用チップ６に脱着用凹部１７を形成した。そして、表用チップ６が鍵本体２に取着された際に、その脱着用凹部１７と鍵本体２との間に隙間が設けられるようにした。このため、表用チップ６及び裏用チップ７を鍵本体２から取り外したい場合には、この隙間にドライバ等を挿入して、表用チップ６を剥がすように鍵本体２から外すことができる。つまり、把持部３は、ドライバ等の一般的な工具を使用して、使用者が自ら外すことができる。
【００３４】
（４）上記実施形態では、鍵本体２の取着部５に、裏用チップ７の第１の被嵌合部２１，２２及び第２の被嵌合部２５をそれぞれ貫通可能な円形孔５ｇ，５ｈ及び四角孔５ｉを穿孔するようにした。このため、表用チップ６及び裏用チップ７は、第１の嵌合部１１，１２及び第２の嵌合部１５を、それぞれ円形孔５ｇ，５ｈ及び四角孔５ｉを介して、第１の被嵌合部２１，２２及び第２の被嵌合部２５に嵌合することにより固定される。従って、表用チップ６及び裏用チップ７を、鍵本体２に対して比較的強固に固定することができる。
【００３５】
尚、本実施形態は以下のように変更してもよい。
・上記実施形態では、表側凹部８が形成された表用チップ６と裏側凹部１８が形成された裏用チップ７とを使用者が自ら着脱できるように設けたが、インサート成形等により予め鍵本体２に一体に設けてもよい。
【００３６】
・上記実施形態では、表用チップ６及び裏用チップ７にそれぞれ凹部を設けたが、一方のチップにのみ凹部を設けてもよい。例えば、表用チップ６に表側凹部８を設け、裏用チップ７は平面にしてもよい。また、裏用チップ７に裏側凹部１８を設け、表用チップ６は平面にしてもよい。
【００３７】
・上記実施形態では、表用チップ６に形成される表側凹部８を、略台形状に形成し、親指の腹に沿った形状とした。また、裏用チップ７に形成される裏側凹部１８を帯状かつ円滑な曲面からなる形状とし、把持部３を把持した際の人差し指の当接面に沿った形状とした。これ以外に、表側凹部８を、単なる円状、裏側凹部１８を断面略四角状の溝にする等、上記の形状以外の形状にしてもよく、要は親指が当接する面と人差し指が当接する面とを、指の感触のみによって区別できる凹部であればよい。
【００３８】
・上記実施形態では、鍵本体２に形成される円形孔５ｇ，５ｈを非対称な形状又は大きさに形成してもよい。このようにすると、表用チップ６を鍵本体２の表面５ｂに、裏用チップ７を鍵本体２の裏面５ｃに取り付ける際、円形孔５ｇ，５ｈの位置に基づいて鍵本体２の表面５ｂと裏面５ｃが判別できる。例えば、大きな円形孔が、左側に配置される面は、表面５ｂであり、その大きな円形孔が右側に配置される面は裏面５ｃであるというように判別できる。
【００３９】
・上記実施形態では、表用チップ６に、第１の嵌合部１１，１２と第２の嵌合部１５とを形成し、裏用チップ７に、それらに対応する第１の被嵌合部２１，２２と第２の被嵌合部２５とを形成した。そして、鍵本体２に、２つの円形孔５ｇ，５ｈと、１つの四角孔５ｉとを形成したが、嵌合部はいくつでもよく、その形状は円筒状、四角筒状に限定されることはない。また、鍵本体２に形成される孔は、孔以外に、切り欠き等でもよい。また、被嵌合部、鍵本体２に形成される孔又は切り欠きも、嵌合部の個数に応じて変化してよい。
【００４０】
・上記実施形態では、裏用チップ７に貫通形成された窓部２７を設けたが、この窓部２７は、その孔に透明樹脂を流し込んで形成してもよい。
・上記実施形態では、本発明を、解錠時に表用チップ６の外面６ｄを右側、施錠時に表用チップ６の外面６ｄを左側となる鍵材について適用したものとして説明したが、解錠及び施錠の際の差し込み方向が異なる鍵材でも勿論よい。また、鍵穴に対して取着部５を水平にして差し込む鍵材に適用してもよい。これらの場合でも、鍵本体２に対し、親指が当接する側に表用チップ６を取付けるものとする。
【００４１】
・上記実施形態では、ドライバ等を差し込む差し込み部として、表用チップ６の一部を
切り欠いた脱着用凹部１７を形成したが、これ以外に、ドライバ等の支点となるような傾斜や、表用チップ６又は裏用チップ７に貫通形成された差し込み用孔でもよい。
【００４２】
次に、上記実施形態及び別例から把握できる技術的思想について、それらの効果とともに以下に追記する。
（ａ）請求項１又は２に記載の鍵材の把持部において、前記把持部は、第１のチップと第２のチップとから構成されるとともに、前記第１のチップ及び前記第２のチップは、第１の係合部及び第２の係合部がそれぞれ設けられるとともに、前記第１の係合部及び前記第２の係合部が互いに係合されることにより前記鍵材に対して固定されることを特徴とする鍵材の把持部。
【００４３】
これによれば、把持部は第１のチップと第２のチップとから構成され、第１及び第２の係合部を係合することにより鍵本体に取付けることができる。つまり、インサート成形等の工程を経ることなく、鍵材に手で取り付けることができる。従って、使用者は、特殊な工具・装置を用いたり、店舗に依頼したりすることなく、把持部を取着することができる。
【００４４】
（ｂ）請求項１〜２及び（ａ）のいずれか一つに記載の鍵材の把持部において、前記把持部には、その把持部を前記鍵本体から取り外す際に工具を挿入するための差し込み部が形成されていることを特徴とする鍵材の把持部。
【００４５】
これによれば、把持部には、工具を挿入するための差し込み部が形成されているので、少なくとも差し込み部に差し込めるような工具を使用すれば、容易に把持部を取り外すことができる。
【００４６】
（ｃ）請求項１〜２及び（ａ）〜（ｂ）のいずれか一つに記載の鍵材の把持部において、前記第１のチップ及び前記第２のチップには、前記第１の係合部及び前記第２の係合部がそれぞれ複数設けられていることを特徴とする鍵材の把持部。
【００４７】
これによれば、第１の係合部及び第２の係合部は、第１のチップ及び第２のチップにそれぞれ複数形成されているので、第１のチップ及び第２のチップを、比較的強固に互いに固定することができる。
【００４８】
（ｄ）請求項１〜２及び（ａ）〜（ｃ）のいずれか一つに記載の鍵材の把持部において、前記把持部は着色されていることを特徴とする鍵材の把持部。
これによれば、把持部は着色されているので、把持部が取着される鍵本体が複数あった場合に、各鍵本体を区別することができる。
【００４９】
（ｅ）請求項３に記載の把持部が取付けられる鍵材において、鍵本体には、前記第１の係合部及び前記第２の係合部を貫通させるための貫通孔が形成されていることを特徴とする鍵材。
【００５０】
これによれば、鍵本体には第１及び第２のチップにそれぞれ形成された、第１の係合部及び第２の係合部を貫通させるための貫通孔が形成されているので、第１及び第２のチップを鍵本体に対して確実に固定することができる。
【００５１】
（ｆ）請求項３又は（ｅ）に記載の鍵材において、前記貫通孔は前記鍵本体の差し込み方向に対して略直交する方向に相対距離を設け、互いに異なる形状に形成されていることを特徴とする鍵材。
【００５２】
これによれば、鍵本体の貫通孔は複数設けられるとともに、差し込み方向に対して略直交する方向に相対距離を設け、互いに異なる形状に形成されているので、その貫通孔の位置によって、鍵本体の表裏を比較的容易に判別することができる。このため、鍵本体に把持部を取着する際に、第１のチップを取着する面と、第２のチップを取着する面とを比較的容易に区別することができ、把持部の付け間違いを防止することができる。
【００５３】
（ｇ）請求項３及び（ｅ）〜（ｆ）のいずれか一つに記載の鍵材において、前記貫通孔は前記鍵本体の差し込み方向に対して非対称の形状に形成されていることを特徴とする鍵材。
【００５４】
これによれば、鍵本体の貫通孔は、差し込み方向に対して非対称であるので、鍵本体の表面及び裏面においてその形状が異なる。このため、その形状によって鍵本体の表裏を区別できるので、把持部の付け間違いを防止することができる。
【図面の簡単な説明】
【００５５】
【図１】鍵材を示し、（ａ）は平面、（ｂ）は側面、（ｃ）は背面を示す。
【図２】鍵本体の平面図。
【図３】把持部の表用チップを示し、（ａ）は平面、（ｂ）は断面、（ｃ）は背面を示す。
【図４】把持部の裏用チップを示し、（ａ）は平面、（ｂ）は断面、（ｃ）は背面を示す。
【図５】前記把持部の把持状態を説明するための説明図。
【符号の説明】
【００５６】
１…鍵材、２…鍵本体、３…把持部３…差込部、５…取着部、５ｇ，５ｈ…貫通孔としての円形孔、５ｉ…貫通孔としての四角孔、６…第１のチップとしての表用チップ、６ｃ…把持面としての表用チップの外面、７…第２のチップとしての裏用チップ、７ｃ…把持面としての裏用チップの外面、８…第１の凹部としての表側凹部、１１，１２…第１の係合部としての第１の嵌合部、１５…第１の係合部としての第２の嵌合部、１７…差し込み部としての脱着用凹部、１８…第２の凹部としての裏側凹部、２１，２２…第２の係合部としての第１の被嵌合部、２５…第２の係合部としての第２の被嵌合部。
【図１】
2005139725.tif 000003
【図２】
2005139725.tif 000004
【図３】
2005139725.tif 000005
【図４】
2005139725.tif 000006
【図５】
2005139725.tif 000007